(57)【要約】      （修正有）【課題】電池交換時に電池収納部から電池が飛び出してしまうことを防止する構造を提供すること。【解決手段】開口部と係止爪２４を覆う電池蓋を備え、電池収納部はロック時に電池蓋と係合する係合部２２ｂを有し、電池蓋はヒンジ機構により電池収納部に対し開閉自在に取り付けられ、閉蓋後電池排出方向に対し略直交する方向に電池蓋をスライドさせロック状態となり、電池蓋のスライド方向と、電池係止爪の移動方向は略直交する電子機器において、電池蓋の開口部と対向する面には、係止爪２４移動方向に略直交し開口部から離れた側にリブ形状２１ｂが設けられ、電池蓋をスライドさせロック状態となる間に電池蓋リブ形状が係止爪に接近する事で、ロック状態となる前である第１の係止爪移動範囲よりも、ロック状態となる第２の係止爪移動範囲の方が小さくなる。【選択図】図９
2017199485.tif 000002
【特許請求の範囲】
【請求項１】
電子機器を駆動させるための電池と、
開口部を有し前記電池を電子機器内で保持するための電池収納部と、
前記電池収納部の奥に配置され前記電池を前記開口部から排出する方向に付勢するばねと、
前記開口部に開口の少なくとも一部を覆うように配置され、前記電池を前記電池収納部に収納する際には前記開口部から退避するように移動可能に取り付けられた係止爪と、
前記開口部と前記係止爪を覆う電池蓋を備え、
前記電池収納部はロック時に前記電池蓋と係合する係合部を有し、
前記電池蓋はヒンジ機構により前記電池収納部に対し開閉自在に取り付けられ、
閉蓋後電池排出方向に対し直交する方向に前記電池蓋をスライドさせロック状態となり、
前記電池蓋のスライド方向と、前記電池係止爪の移動方向は直交する電子機器において、
前記電池蓋の開口部と対向する面には、前記係止爪移動方向に直交し開口部から離れた側にリブ形状が設けられ、
前記電池蓋をスライドさせロック状態となる間に前記電池蓋リブ形状が係止爪に接近する事で、ロック状態となる前である第１の係止爪移動範囲よりも、ロック状態となる第２の係止爪移動範囲の方が小さくなることを特徴とする電子機器。
【請求項２】
前記電池蓋に設けられたリブ形状と前記係止爪移動可能軌跡との干渉は、電池蓋と電池収納部の係止部が嵌合状態となる際のみ発生することを特徴とする請求項１に記載の電子機器。
【請求項３】
前記係止爪移動方向に直交し開口部から離れた側に配置されたリブ形状は、前記電池蓋閉状態からロック状態となる間、連続したリブ形状であることを特徴とする請求項１又は請求項２に記載の電子機器。
【請求項４】
前記電池収納部の奥に配置され前記電池を前記開口部から突出する方向に付勢するばねは円錐コイルばねであることを特徴とする、請求項１乃至請求項３の何れか一項に記載の電子機器。
【請求項５】
前記電係止爪を前記開口部方向へ付勢するばねは、圧縮コイルばねであることを特徴とする請求項１乃至請求項４の何れか一項に記載の電子機器。
【発明の詳細な説明】
【技術分野】
【０００１】
本発明は、電池を挿抜するための開口部が設けられた電池収納部を有する電池収納装置を備えた電子機器に関する。
【背景技術】
【０００２】
従来、携帯型のオーディオプレーヤーや撮像装置等の電子機器においては、機器の筺体体内に電池収納部を有し、この電池収納部に装填される電池を電源としている。電子機器を使用している状態では、電池収納開口部は電池蓋によって閉蓋された状態にある。電池を交換する場合、電池蓋をスライドさせロックを解除した後に、回転操作させて、電池収納開口部を開放するような構成が多くの電子機器で採用されている。この構造では、電池蓋にロック構造があるため、使用中に不用意に電池蓋が開く事は少ないが、電池交換時に誤って電池収納部から電池が飛び出してしまう事がある。
【０００３】
電池交換時に誤って電池収納部から電池が飛び出さないようにするための発明として、特許文献１が開示されている。
【０００４】
上記の特許文献１では、電池収納部底面側に電池を開口部から突出する方向に付勢するばね部材が設けられ、電池係止爪が開口部の中心方向に向かって突出するように付勢され、電池を電池収納部に収納される際には開口部から退出するようにスライド可能に取り付けられている。
【先行技術文献】
【特許文献】
【０００５】
【特許文献１】特開２００４−７９５４３号公報
【発明の概要】
【発明が解決しようとする課題】
【０００６】
特許文献１にて開示された従来技術では、電池が電子機器に装填されている状態において、電池係止爪は電池によって開口部から突出する方向に付勢するばね部材の付勢力を受ける。この電池系止爪と電池の間に生じる摩擦力が、電池係止爪を開口部の中心方向に移動させるばね力を上回ると、電池係止爪は途中止まりを起こし、電池係止爪は電池非装填時の停止位置まで突出する事ができない。
【０００７】
この状態だと、電池係止爪が電池に掛る量が不足しており、電池交換時に軽い衝撃により電池係止爪が電池開口部から退避し、電池収納部から電池が飛び出してしまう恐れがある。また、電池係止爪が途中止まりした状態で、電池蓋を回転操作すると電池蓋と係止爪とが接触してしまい電池蓋が閉状態にならない場合もある。
【０００８】
そこで、本発明の目的は、電池蓋のスライドにより電池蓋に設けられたリブ形状で電池係止爪を電池室開口部方向に移動させ、電池係止爪の掛り量を十分に確保する事で、電池交換時に電池収納部から電池が不用意に飛び出してしまうことを防止する構造を提供することにある。
【課題を解決するための手段】
【０００９】
上記の目的を達成するために、本発明に係る電子機器は、
電子機器を駆動させるための電池と、開口部を有し前記電池を電子機器内で保持するための電池収納部と、前記電池収納部の奥に配置され前記電池を前記開口部から排出する方向に付勢するばねと、前記開口部に開口の少なくとも一部を覆うように配置され、前記電池を前記電池収納部に収納する際には前記開口部から退避するように移動可能に取り付けられた係止爪と、前記開口部と前記係止爪を覆う電池蓋を備え、前記電池収納部はロック時に前記電池蓋と係合する係合部を有し、前記電池蓋はヒンジ機構により前記電池収納部に対し開閉自在に取り付けられ、閉蓋後電池排出方向に対し略直交する方向に前記電池蓋をスライドさせロック状態となり、前記電池蓋のスライド方向と、前記電池係止爪の移動方向は略直交する電子機器において、前記電池蓋の開口部と対向する面には、前記係止爪移動方向に略直交し開口部から離れた側にリブ形状が設けられ、前記電池蓋をスライドさせロック状態となる間に前記電池蓋リブ形状が係止爪に接近する事で、ロック状態となる前である第１の係止爪移動範囲よりも、ロック状態となる第２の係止爪移動範囲の方が小さくなることを特徴とする。
【発明の効果】
【００１０】
本発明に係る電子機器によれば、電池装填時に電池係止爪の掛り量が十分でない状態のままで電池蓋を閉めた場合でも、電池蓋をスライドさせる事により、電池係止爪は電池蓋に設けられた電池係止爪を囲うリブ形状に押される事で電池室開口部方向に移動させられる。電池係止爪が電池室開口部方向に移動し、電池係止爪の掛り量を十分に確保する事で、電池交換時に電池収納部から不用意に電池が飛び出してしまうことを防止する構造を提供することができる。
【図面の簡単な説明】
【００１１】
【図１】本発明の撮像装置正面斜視図
【図２】本発明の撮像装置背面斜視図
【図３】本発明の撮像装置の電池蓋を開けた状態の底面側斜視図
【図４】本発明の撮像装置の電池蓋を閉めた状態の底面側斜視図
【図５】本発明の撮像装置の電池室開口部を含む縦断面図
【図６】本発明の撮像装置の係止爪を含む縦断面図
【図７】本発明の撮像装置の係止爪が途中掛りの状態を示す図
【図８】本発明の撮像装置の電池蓋閉時の部分断面図
【図９】本発明の撮像装置の電池蓋ロック時の部分断面図
【発明を実施するための形態】
【００１２】
以下、本発明の好ましい実施の形態を、撮像装置を例に上げて添付の図面に基づいて詳細に説明する。
【００１３】
［実施例１］
図１は本発明の実施形態である撮像装置１の正面斜視図であり、図２は撮像装置１の背面斜視図である。
【００１４】
撮像装置１の前面はフロントカバー１１で覆われ、撮像装置１の背面はリアカバー１２で覆われている。レリーズボタン１３の押下により撮影準備、及び撮影開始の指示を行い、電源ボタン１４は撮像装置１の電源ＯＮ／ＯＦＦ機能を持つ。露出補正ダイヤル１５にて撮影者が任意で露出補正の制御を可能にし、モードダイヤル１６は様々な撮影モードを切り替え可能にする。メイン電子ダイヤル１７を回転させモードダイヤル１６によって選択された項目に従い、絞り値やシャッター速度の値を割り当てる。
【００１５】
ストロボユニット１８は撮影状況に応じて上下方向に移動可能であり、図１、２は本体に収納されている状態である。レンズマウント１９には不図示の交換レンズを取り換える事で、様々な画角、様々な絞り値で撮影が可能となる。電池蓋２１は撮像装置に対し、スライド及び回動動作を行い開閉する。
【００１６】
図３は電池蓋２１を開けた状態の撮像装置１の底面側斜視図である。
【００１７】
電池室２２は電池蓋２１と対向する面に開口部２２ａを有しており、電池蓋２１はヒンジ機構３０により電池室２２に対し開閉自在に取り付けられている。電池室２２には電池蓋２１をスライドさせる事でロック状態となるようにした係合部２２ｂを備えている。また、電池室２２に取り付けられる係止爪２４は、図６にて詳細を説明するばね２３により付勢され、電池２０を電池室２２に収納する際には、前記開口部２２ａから退出するようにスライド可能に取り付けられている。
【００１８】
係止爪２４の移動方向は、電池蓋２１のスライド方向に直交している。電池２０は電池室２２に収納され、係止爪２４が電池室２２の開口部２２ａの一部を覆う事で、不意に電池２０が電池室２２から排出されてしまう事を防止している。詳細は後述するが、電池蓋２１の電池室２２と対向する面部には係止爪２４移動方向に略直交し開口部から離れた側にリブ形状２１ａ、２１ｂが設けられている。また、電池蓋２１には電池室２２に設けられた係合部２２ｂと係合する係合部２１ｃを備えている。
【００１９】
図４は電池蓋２１を回動操作し蓋を閉めた状態の底面斜視図である。
【００２０】
図４に示す状態では電池蓋２１に設けられた係合部２１ｃと、電池室２２に設けられた係合部２２ｂは係合していない。図８にて詳細を説明するスライド操作を行う事で電池蓋２１はロック状態となる。
【００２１】
図５は電池室２２の開口部２２ａの略中央部を含む断面図である。
【００２２】
電池室２２奥には電池２０を電池室２２から排出させる方向に付勢する排出ばね２５が備えられている。排出ばね２５は省スペース化を目的として円錐ばねで構成されている。
【００２３】
図６は係止爪２４を含み電池２０挿入方向に切断した断面図である。
【００２４】
係止爪２４は電池室２２との間に設けられた圧縮コイルばね２３により付勢されて、電池２０を電池室２２に収納する際には、開口部２２ａから退出するようにスライド可能に取り付けられている。
【００２５】
図７は電池蓋２１が開いた際に係止爪２４が途中止まりしている図である。
【００２６】
係止爪２４は電池室２２の開口部２２ａの少なくとも一部を覆うように開口部周囲から開口部に向かいスライド可能に取り付けられており、開口部へ突出する方向にばね力により付勢されている。係止爪２４は電池室２２に設けられた不図示のストッパに突き当たるまで開口部を覆うように移動する。係止爪２４は本来、二点鎖線２４ａの位置まで移動可能である。電池２０が電池室２２に収納された際、係止爪２４は、開口部２２ａへ突出する方向の力に加え、電池を介し電池室２２奥に配置された排出ばね２５の力を受けている。
【００２７】
係止爪２４が開口部へ突出する方向のばね力よりも、電池２０を電池室外へ突出させる力から生じる係止爪２４と電池２０との間の摩擦力が上回った場合、係止爪２４は電池未装填時のストッパに突き当たらずに、途中止まりをしてしまう。係止爪２４が途中止まりとなった場合、電池交換時に軽い衝撃により電池係止爪が電池開口部から退避し、電池収納部から電池が不用意に飛び出してしまう恐れがある。
【００２８】
図８は本発明の撮像装置において、電池２０を電池室２２に装填し、電池蓋２１を回動操作し蓋を閉めた状態の図である。
【００２９】
図８に示す状態では電池蓋２１に設けられた係合部２１ｃと、電池室２２に設けられた係合部２２ｂは係合していない。図８では本発明の理解を促すために、電池蓋２１を開口部２２ａと平行な面で切断している。係止爪２４移動方向で開口部２２ａから離れた側には、電池蓋２１に設けられたリブ形状２１ａが隣接している。
【００３０】
図９は本発明の撮像装置において、電池２０を電池室２２に装填し、電池蓋２１を回動操作し電池蓋を閉めた上で、電池蓋２１をスライドさせロック状態とした状態の図である。
【００３１】
図９も図８と同様に電池蓋２１を開口部２２ａと平行な面で切断している。電池蓋２１をスライドさせる事により、電池蓋２１に設けられた係合部２１ｃと、電池室２２に設けられた係合部２２ｂが互いに係合し、ロック状態となる。係止爪２４移動方向で電池室開口部２２ａから離れた側には、電池蓋２１に設けられたリブ形状２１ｂが隣接している。
【００３２】
リブ形状２１ａとリブ形状２１ｂは連続したリブ形状であり、リブ形状２１ｂはリブ形状２１ａよりもより開口部２２ａ近傍に配置されている。電池蓋２１をスライドさせ電池蓋２１がロック状態となる際、係止爪２４は電池蓋に設けられたリブ形状２１ｂにより、途中止まりしていても、強制的に押し出され開口部２２ａを覆う方向に移動する。
【００３３】
以上により本発明の実施の形態によれば、係止爪に掛る圧縮コイルばねの力が電池排出ばねによる摩擦力を下回り途中止まりとなった際に、係止爪は電池蓋に設けられたリブ形状によって正規の位置まで強制的に移動させる事で電池に対する掛り量を増加させる。電池に対する係止爪の掛り量を増加させる事で、電池交換時に軽い衝撃により電池係止爪が電池開口部から退避し電池収納部から電池が不用意に飛び出してしまう事を防止する構造を提供する事ができる。
【００３４】
本発明の好ましい実施形態について説明したが、本発明はこれらの実施形態に限定されず、その要旨の範囲内で種々の変形及び変更が可能である。
【符号の説明】
【００３５】
１  撮像装置、２０  電池、２１  電池蓋、２１ａ  リブ形状、２１ｂ  リブ形状、
２１ｃ  係合部、２２  電池室、２２ａ  開口部、２２ｂ  係合部、
２３  圧縮コイルばね、２４  係止爪、２５  排出ばね、３０  ヒンジ機構
【図１】
2017199485.tif 000003
【図２】
2017199485.tif 000004
【図３】
2017199485.tif 000005
【図４】
2017199485.tif 000006
【図５】
2017199485.tif 000007
【図６】
2017199485.tif 000008
【図７】
2017199485.tif 000009
【図８】
2017199485.tif 000010
【図９】
2017199485.tif 000011